(57)【要約】【課題】  宅内引き込み用光伝送路５〜７の余長部３９を簡単に収納できるようにし、見栄えの改善と工事の手間の軽減を意図したメディアコンバータを提供する。【解決手段】  光信号と電気信号との変換機能を実装した筐体部（５３）を備えるメディアコンバータ（５０）において、前記筐体部（５３）の底面の外周縁上の少なくとも三箇所に宅内引き込み用光伝送路の余長部（３９）を保持するための余長部保持部（５４、５７、５８）を設ける。【選択図】  図１
2006084492.tif 000002
【特許請求の範囲】
【請求項１】
光信号と電気信号との変換機能を実装した筐体部を備えるメディアコンバータにおいて、
前記筐体部の底面の外周縁上の少なくとも三箇所に宅内引き込み用光伝送路の余長部を保持するための余長部保持部を設けたことを特徴とするメディアコンバータ。
【請求項２】
前記余長部保持部の一つは、前記筐体部の壁面等への取付にも用いられる壁面取付兼用部であり、前記余長部保持部の他の二つは、前記筐体部の一部に形成された脚部であることを特徴とする請求項１記載のメディアコンバータ。
【請求項３】
前記脚部は、前記筐体部を壁面に取り付けた際に、筐体部と壁面との間に若干の隙間を形成する隙間形成部材を有しており、この隙間形成部材の内面は、前記筐体部の平面上の略センター位置からの距離に相当する所定の曲率の円弧面に形成されていることを特徴とする請求項２記載のメディアコンバータ。
【請求項４】
前記余長部保持部は、前記筐体部の底面に着脱可能に取り付けられている着脱可能部品であることを特徴とする請求項１記載のメディアコンバータ。
【請求項５】
前記余長部保持部は、前記筐体部の底面に取り付けられる一の基本構成部品と、該一の基本構成部品に回動可能に支持された二の基本構成部品とからなり、該二の基本構成部品を回動させることによって、前記筐体部の底面に隠れて見えない折り畳み状態と、前記筐体部の外周縁から若干突出する展開状態との二つの状態を選択的に取り得る構造を有していることを特徴とする請求項１記載のメディアコンバータ。
【発明の詳細な説明】
【技術分野】
【０００１】
本発明は、光通信システム用のメディアコンバータに関する。
【背景技術】
【０００２】
光通信システム、とりわけ、光ファイバーを媒体に用いて大量の情報を高速伝送するシステムは、たとえば、ローカルエリアネットワーク（ＬＡＮ）同士の接続、ワイドエリアネットワーク（ＷＡＮ）とＬＡＮとの接続、あるいは、ケーブルテレビ（ＣＡＴＶ）の放送局とユーザ宅との接続などに用いられている。
【０００３】
図２５（ａ）は、光ファイバーを用いた光通信システムの経路概念図である。この図において、電柱１、２には幹線用多芯光伝送路３が張り渡されており、この幹線用多芯光伝送路３に含まれる何本かの光ファイバーは、最寄りの電柱（図では便宜的に電柱２）に取り付けられている接続ボックス４の内部で、それぞれ、宅内引き込み用光伝送路５〜７に接続されている。
【０００４】
図２５（ｂ）は、宅内引き込み用光伝送路５〜７の一例断面構造図である。図示の例の宅内引き込み用光伝送路５〜７は、弾性変形可能な外皮で囲まれ、且つ、切断線Ａ、Ｂに沿って分離可能に連続する三つの部分８〜１０（以下、一端側部分８、中央部分９及び他端側部分１０という。）からなる積層断面構造を有している。そして、その外皮の一端側部分８の軸芯には鋼線等からなる比較的硬い材質の補強線１１（以下「硬質補強線」という。）が入れられており、外皮の中央部分９と他端側部分１０の各軸芯には樹脂素材等からなる比較的柔らかい材質の補強線１２、１３（以下「軟質補強線」という。）が入れられており、さらに、外皮の中央部分９と他端側部分１０の境界付近には光ファイバー１４が入れられている。
【０００５】
このような構造を有する宅内引き込み用光伝送路５〜７は、図２５（ａ）の接続ボックス４から各々のユーザ宅１５〜１７までの間は、図２５（ｂ）の断面構造を保ったまま敷設されるが、ユーザ宅１５〜１７の引き込み箇所（たとえば、外壁面）から宅内に引き込まれる際には、図２５（ｂ）の断面構造のうち一端側部分８が切断線Ａに沿って切り離され、残りの部分（中央部分９と他端側部分１０）だけが宅内に引き込まれる。
【０００６】
これは、一端側部分８に含まれる硬質補強線１１は、もっぱら電柱２とユーザ宅１５〜１７との間のケーブル保護（引っ張り強度の確保）にのみ必要とされるからであり、宅内引き回しの際には、むしろその存在が邪魔になる（ケーブルを曲げにくい）からである。また、硬質補強線１１に鋼線等の電気導体が用いられている場合には、落雷等によって発生する有害な誘導電流が硬質補強線１１を介して宅内に侵入する恐れもあるからである。
【０００７】
このように、ユーザ宅１５〜１７の宅内においては、宅内引き込み用光伝送路５〜７の中央部分９と他端側部分１０だけが引き込まれ、それらは、メディアコンバータ１８〜２０に接続され、メディアコンバータ１８〜２０と端末２４〜２６（たとえば、ＣＡＴＶの場合はＣＡＴＶチューナやＣＡＴＶモデム、ＬＡＮの場合はルータやハブ）の間がメタルケーブル２１〜２３によって接続される。
【０００８】
メディアコンバータ１８〜２０は、光信号から電気信号への単方向変換又は双方向変換を行うためのものである。たとえば、端末２４〜２６がＣＡＴＶチューナの場合は単方向変換を行い、ＣＡＴＶモデムやルータ又はハブの場合は双方向変換を行うものである。なお、メディアコンバータを光受信機（単方向変換の場合）又は光送受信機（双方向変換の場合）と呼ぶこともあるが、本明細書では、説明の都合上、光／電気の変換機能を意味する“メディアコンバータ”に統一するものとする。
【０００９】
宅内引き込み用光伝送路５〜７とメディアコンバータ１８〜２０との接続作業は、概略、以下の手順で行われる。
（１）まず、宅内引き込み用光伝送路５〜７を所望の位置で切断し、その中央部分９と他端側部分１０とを切断線Ｂに沿って切り離して所要長の光ファイバー１４を露出させる。“所要長”とは、以下の（２）の作業を支障なく行うことができる程度の長さのことをいう。
【００１０】
（２）次に、光コネクタアセンブリを用意する。
図２５（ｃ）は、光コネクタアセンブリ２７の構成図である。光コネクタアセンブリ２７は、現場の作業性を高めるために、あらかじめ、数十センチメートル程度の長さの光ファイバー２８の一端に光コネクタ２９を取り付けて組み立てられた（アセンブリ化された）パーツである。
【００１１】
この光コネクタアセンブリ２７の光ファイバー２８と、宅内引き込み用光伝送路５〜７の光ファイバー１４との先端同士を、スプライサ（図２６のスプライサ３１参照）を用いて接続する。“スプライサ”とは、角柱状のガラス管の軸芯にファイバー径と同程度の細穴を開けたものであり、その細穴の内部で光ファイバー同士の端面を突き当てて接着固定するための接続部品である。
【００１２】
（３）最後に、光コネクタアセンブリ２７の光コネクタ２９をメディアコンバータ１８〜２０の光端子（図２６の光端子ＰＣ参照）に接続した後、スプライサや光ファイバーの余裕部分をメディアコンバータ１８〜２０の内部スペースに収納し、メディアコンバータ１８〜２０の蓋を閉じて作業を完了する。
【００１３】
図２６は、従来のメディアコンバータの構造図（たとえば、特許文献１参照。）である。この図において、筐体３０の内部には、スプライサ３１を収納するためのスプライサ収納部３２と、電子基板３３を収納するための電子基板収納部３４とが設けられていると共に、電子基板３３の表面（電子部品の非実装面）が光ファイバーの余裕部を収納するための余裕部分収納部３５として利用されている。
【００１４】
余裕部分収納部３５は、宅内引き込み用光伝送路５〜７の光ファイバー１４と、光コネクタアセンブリ２７の光ファイバー２８とを巻回収納可能な充分な広さを持っており、これらの光ファイバー１４及び光ファイバー２８は、極端な曲げによる光の漏れを防ぐために、いくつかの箇所でファイバー止め具３６によって電子基板３３の表面上に保持されており、これにより、光ファイバー１４及び光ファイバー２８は、その保持された状態において、緩やかな曲線を描くようになっている。
【００１５】
さらに、この従来のメディアコンバータにおいては、筐体３０の右下コーナ部付近に宅内引き込み用光伝送路５〜７の外皮（中央部分９と他端側部分１０）を挟み込んで保持するための外皮保持部３７が設けられている。これにより、宅内引き込み用光伝送路５〜７に対して抜け方向の外力が加えられても、その外力が外皮保持部３７によって受け止められるため、コンバータ内部の光ファイバー１４が断線することはない。
【００１６】
以上のとおり、従来のメディアコンバータは、光信号と電気信号との間の変換という本来の機能に加え、曲げに弱い光ケーブル１４の余裕部収納機能や、宅内引き込み用光伝送路５〜７の外力受け止め機能（外皮保持部３７）などの付帯的機能、つまり、宅内工事の利便性を考慮した様々な機能を備えてはいるが、以下の点で不十分であり、未だ改善すべき余地があった。
【００１７】
すなわち、宅内におけるメディアコンバータの設置位置は、そのユーザ宅の工事立会人（通常はユーザ自身）によって指定された位置であり、たとえば、端末２４〜２６の設置部屋の壁面等などであるが、しばしば、当該工事立会人から「メディアコンバータを後で移動できるようにして欲しい」旨の要望が出されることがある。そこで、その要望に対処するために（又は要望が無くても、当然のサービスとして）、宅内引き込み用光伝送路５〜７に充分な“余長”（数十センチないしは数メートル程度の余長）を残してメディアコンバータに引き込むことが行われている。
【００１８】
図２７は、従来のメディアコンバータにおける宅内引き込み用光伝送路５〜７の余長部３９の整理状態を示す図である。この図は、一般的な工事の様子（たとえば、非特許文献１参照）を示しており、接続ボックス４から宅内に引き込まれた宅内引き込み用光伝送路５〜７（図２５（ｂ）の断面構造のうち中央部分９と他端側部分１０のみの部分）は、ガイド部材３８によって保護されながらメディアコンバータ１８〜１９の近くまで敷設され、その余長部３９が邪魔にならないように巻回されて数カ所のステー４０、４１で壁面等に固定された後、メディアコンバータ１８〜１９に引き込まれている。なお、この図において、４２は不図示の端末への電気信号ケーブル（たとえば、前述のメタルケーブル２１〜２３）、４３は電源ケーブルに取り付けられているノイズ阻止用のフェライトコアである。
【００１９】
【特許文献１】特開２００３−１３９９６４号公報
【非特許文献１】“ブロードバンド百景”、［ｏｎｌｉｎｅ］、ＢｒｏａｄＢａｎｄＷａｔｃｈ、［平成１６年４月５日検索］、インターネット＜ＵＲＬ：http://bb.watch.impress.co.jp/cda/hyakkei/3514.html＞
【発明の開示】
【発明が解決しようとする課題】
【００２０】
しかしながら、従来のメディアコンバータにおいては、宅内引き込み用光伝送路５〜７の余長部３９の収納をまったく考慮していないため、メディアコンバータの外部で余長部３９を適当に巻回整理し、且つ、その巻回体を壁面等に固定する必要があった。このため、工事後の余長部３９の見栄えが悪く、しかも、いちいち、余長部３９をステー４０、４１で固定しなければならないから、手間がかかって面倒であるという問題点がある。
【００２１】
そこで、本発明は、宅内引き込み用光伝送路５〜７の余長部３９を簡単に収納できるようにし、見栄えの改善と、工事の手間の軽減を意図したメディアコンバータを提供することにある。
【課題を解決するための手段】
【００２２】
請求項１記載の発明に係るメディアコンバータは、光信号と電気信号との変換機能を実装した筐体部を備えるメディアコンバータにおいて、前記筐体部の底面の外周縁上の少なくとも三箇所に宅内引き込み用光伝送路の余長部を保持するための余長部保持部を設けたことを特徴とする。
請求項２記載の発明に係るメディアコンバータは、請求項１記載のメディアコンバータにおいて、前記余長部保持部の一つは、前記筐体部の壁面等への取付にも用いられる壁面取付兼用部であり、前記余長部保持部の他の二つは、前記筐体部の一部に形成された脚部であることを特徴とする。
請求項３記載の発明に係るメディアコンバータは、請求項２記載のメディアコンバータにおいて、前記脚部は、前記筐体部を壁面に取り付けた際に、筐体部と壁面との間に若干の隙間を形成する隙間形成部材を有しており、この隙間形成部材の内面は、前記筐体部の平面上の略センター位置からの距離に相当する所定の曲率の円弧面に形成されていることを特徴とする。
請求項４記載の発明に係るメディアコンバータは、請求項１記載のメディアコンバータにおいて、前記筐体部の底面に取り付けられる一の基本構成部品と、該一の基本構成部品に回動可能に支持された二の基本構成部品とからなり、該二の基本構成部品を回動させることによって、前記筐体部の底面に隠れて見えない折り畳み状態と、前記筐体部の外周縁から若干突出する展開状態との二つの状態を選択的に取り得る構造を有していることを特徴とする。
【発明の効果】
【００２３】
請求項１記載の発明によれば、筐体部の底面の外周縁上の少なくとも三箇所に設けられた余長部保持部を利用し、宅内引き込み用光伝送路の余長部をループ状に巻回して三点保持することができる。このため、当該余長部の保持をワンタッチで簡単に行うことができると共に、三点保持によって、当該ループのほぼ中心に筐体部を位置させることができ、見た目の悪化を招くことなく余長部を保持できる。
請求項２記載の発明によれば、余長部保持部の一つを壁面取付兼用部とすることができ、部品点数の削減を図ることができる。
請求項３記載の発明によれば、隙間形成部材の内面の円弧に沿って余長部のループ形状が規制されるため、より美観を保ちながら余長部を保持できる。
請求項４記載の発明によれば、余長部の保持の必要がない場合に余長部保持部を取り外すことができ、メディアコンバータをスッキリさせることができる。
請求項５記載の発明によれば、折り利畳状態と展開状態のいずれの状態でも余長部の保持が可能であり、たとえば、折り利畳状態にして卓上で使用することができ、展開状態にして壁面等に取り付けて使用することができる。しかも、折り畳み状態にした場合には、前記余長部保持部が筐体部の陰に隠れて見えないため、美観を損なうことがない。
【発明を実施するための最良の形態】
【００２４】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２５】
＜第１実施形態＞
図１〜図３は、第１実施形態のメディアコンバータ５０を示す図であり、図１は、メディアコンバータ５０の上面図、図２は、メディアコンバータ５０の斜視図、図３は、メディアコンバータ５０の側面図である。
【００２６】
これらの図において、第１実施形態のメディアコンバータ５０は、上下分割式の下部筐体５１と上部筐体５２とからなる筐体部５３を備えている。そして、第１実施形態のメディアコンバータ５０の特徴的事項は、その筐体部５３の下部筐体５１の底面（壁面等への設置面）の外周縁上の少なくとも三箇所に、宅内引き込み用光伝送路５〜７の余長部３９を保持するための部分（以下、「第１〜第３の余長部保持部」という。）を設けた点にある。
【００２７】
第１の余長部保持部は、下部筐体５１の短手側一辺の一方（図１における図面に向かって左側の辺）に取り付けられた金具５４である。この金具５４は、メディアコンバータ５０を壁面等に取り付ける際にも用いられる壁面取付兼用部でもあり、所定の長さの金属板の根本を下部筐体５１に固定すると共に、その先端部に壁面等固定用のネジ穴５５を形成し、且つ、その根本付近から先端付近にかけて、図２（ａ）に示すような屈曲部５６を形成したものである。屈曲部５６と壁面等との間に生じる隙間を利用して余長部３９を保持する。
【００２８】
第１及び第２の余長部保持部は、下部筐体５１の短手側一辺の他方（図１における図面に向かって右側の辺）の両端に形成された脚部５７、５８である。この脚部５７、５８は、メディアコンバータ５０を壁面等に取り付ける際の壁面等当接部でもある。すなわち、前記の金具５４と一緒にメディアコンバータ５０を壁面等に三点支持するためのものである。加えて、この脚部５７、５８は、メディアコンバータ５０を壁面等に取り付けた際に、メディアコンバータ５０と壁面等との間に若干の隙間を形成する隙間形成部材５７ａ、５８ａを有しており、この隙間形成部材５７ａ、５８ａの内面は、所定の曲率Ｒの円弧面に形成されている。曲率Ｒは、メディアコンバータ５０の平面上の略センター位置Ｐからの距離に相当する。
【００２９】
このような構成のメディアコンバータ５０によれば、宅内引き込み用光伝送路５〜７の余長部３９を、見栄えよく、しかも、簡単に巻回収納することができる。
【００３０】
すなわち、第１の余長部保持部である金具５４の屈曲部５６と、第２及び第３の余長部保持部である脚部５７、５８の隙間形成部材５７ａ、５８ａとの三点を通る仮想円の直径に合わせて余長部３９のループを作り、そのループ体（余長部３９）を、金具５４の屈曲部５６と、脚部５７、５８の隙間形成部材５７ａ、５８ａとの三点で保持して収納した後、金具５４のネジ穴５５に木ネジを入れてメディアコンバータ５０を壁面等に固定すればよい。
【００３１】
このようにすると、ループ状の余長部３９は、第１の余長部保持部である金具５４の屈曲部５６と、第２及び第３の余長部保持部である脚部５７、５８の隙間形成部材５７ａ、５８ａとの三点で保持されているため、従来技術のように、いちいちステー４０、４１などで固定する必要がない。また、三点で保持されているループ状の余長部３９は、メディアコンバータ５０の平面上の略センター位置Ｐを中心とした、ほぼ円形状を保っており、左右均等のシンメトリーを保つから、見栄えの改善を図ることもできる。
【００３２】
＜第２実施形態＞
図４〜図１３は、第２実施形態のメディアコンバータ６０を示す図であり、図４は、メディアコンバータ６０の斜視図、図５は、メディアコンバータ６０の正面図、図６は、メディアコンバータ６０の側面図、図７は、メディアコンバータ６０の背面詳細図、図８は、メディアコンバータ６０のケース分解図、図９は、メディアコンバータ６０の背面図、図１０は、メディアコンバータ６０の要部拡大図、図１１は、メディアコンバータ６０の要部側面及び断面側面図、図１２は、メディアコンバータ６０の余長部３９収納状態図、図１３は、メディアコンバータ６０の余長部３９収納状態図である。
【００３３】
これらの図において、第２実施形態のメディアコンバータ６０は、上下分割式の下部筐体６１と上部筐体６２とからなる筐体部６３を備えている点、及び、その筐体部６３の下部筐体６１の底面（壁面等への設置面）の外周縁上の少なくとも三箇所に、宅内引き込み用光伝送路５〜７の余長部３９を保持するための部分（以下、「第１〜第３の余長部保持部」という。）を設けている点で前記の実施形態と共通し、筐体部６３が略円盤状になっている点、並びに、第１〜第３の余長部保持部が着脱可能になっている点で相違する。
【００３４】
第１〜第３の余長部保持部は、それぞれ、下部筐体６１の外周縁上の等間隔な三点に着脱可能に取り付けられた三つの金具６４、６４、６４（着脱可能部品）である。これらの金具６４、６４、６４は、いずれも同一の形状を有しており、具体的には、図１０及び図１１に示すように、所定の長さの金属板の一端を折り曲げて屈曲部６４ａを形成すると共に、その屈曲部６４ａの近くに石膏釘６４ｂ用の固定穴６４ｃを形成し、さらに、金属板の中央付近に木ねじ６４ｄ用の固定穴６４ｅを形成し、加えて、金属板の一面側（屈曲部６４ａの折り曲げ側）に下部筐体６１への係合用のネジ６４ｆを植設したものである。
【００３５】
このように形成された三つの金具６４、６４、６４は、図７に示すように、まず、金具６４、６４、６４の根本部分を、それぞれ、下部筐体６１の底面の三箇所の窪み６１ａ、６１ａ、６１ａにあてがい、当該窪み６１ａ、６１ａ、６１ａ内の穴６１ｂ、６１ｂ、６１ｂに、金具６４、６４、６４のネジ６４ｆ、６４ｆ、６４ｆを差し込み、次いで、図８に示すように、下部筐体６１の内側に設けられているナット部材６１ｃ、６１ｃ、６１ｃを用いてネジ６４ｆ、６４ｆ、６４ｆを締め付けることにより、下部筐体６１に堅固に固定することができる。なお、三つの金具６４、６４、６４のすべて又は一部を取り外す場合は、下部筐体６１の内側に設けられているナット部材６１ｃ、６１ｃ、６１ｃを緩めればよい。
【００３６】
このように、金具６４、６４、６４が固定された第２実施形態のメディアコンバータ６０に、宅内引き込み用光伝送路５〜７の余長部３９を保持させる際には、図１２及び図１３に示すように、金具６４、６４、６４の三点を通る仮想円の直径に合わせて余長部３９のループを作り、そのループ状の余長部３９を、金具６４、６４、６４の屈曲部６４ａ、６４ａ、６４ａに引っかけた後、金具６４、６４、６４の固定穴６４ｃ、６４ｃ、６４ｃを利用した石膏釘６４ｂの打ち付け、又は、金具６４、６４、６４の固定穴６４ｅ、６４ｅ、６４ｅを利用した木ねじ６４ｄのねじ込みにより、メディアコンバータ６０を壁面等に固定すればよい。
【００３７】
ループ状の余長部３９は、第１〜第３の余長部保持部である金具６４、６４、６４の三点で保持されているため、従来技術のように、いちいちステー４０、４１などで固定する必要がない。また、三点で保持されているループ状の余長部３９は、ほぼ円形を保っており、左右均等のシンメトリーとなっているため、見た目の違和感もなく、見栄えの改善を図ることもできる。しかも、メディアコンバータ６０それ自体も金具６４、６４、６４の三点で壁面等に固定されているため、ガタツキもない。さらに、余長部３９の収納と壁面等へのメディアコンバータ６０の取付を行う必要がない場合には、メディアコンバータ６０の下部筐体６１から金具６４、６４、６４を取り外してもよい。金具６４、６４、６４を取り外すことにより、メディアコンバータ６０をスッキリさせることができる。
【００３８】
＜第３実施形態＞
以上の実施形態においては、メディアコンバータを壁面等に固定して用いられるタイプとし、その固定状態において、メディアコンバータに設けられている余長部保持部を利用して、容易な作業で且つ美観の悪化を招くことなく、宅内引き込み用光伝送路５〜７の余長部３９の収納を行うようにしているが、本発明の実施形態はこれに限定されない。
【００３９】
たとえば、以下に説明するように、所望により、「壁面取付」と「卓上使用」の二つの用途を適宜に選択できるタイプのものに適用してもよい。
【００４０】
図１４〜図２３は、第３実施形態のメディアコンバータ７０を示す図である。詳しくは、図１４は、メディアコンバータ７０の折り畳み状態を示す斜視図、図１５は、メディアコンバータ７０の折り畳み状態を示す正面及び側面図、図１６は、メディアコンバータ７０の余長部保持部の一の基本構成部品と二の基本構成部品図の組み立て斜視図（折り畳み状態のときのもの）、図１７は、メディアコンバータ７０の余長部保持部の一の基本構成部品と二の基本構成部品の組み立て平面及び側面図（折り畳み状態のときのもの）、図１８は、メディアコンバータ７０の余長部保持部の一の基本構成部品の斜視図、図１９は、メディアコンバータ７０の余長部保持部の一の基本構成部品の平面及び側面図、図２０は、メディアコンバータ７０の余長部保持部の二の基本構成部品図の斜視図、図２１は、メディアコンバータ７０の余長部保持部の二の基本構成部品図の平面及び側面図、図２２は、メディアコンバータ７０の余長部保持部の一の基本構成部品と二の基本構成部品図の組み立て斜視図（展開状態のときのもの）、図２３は、メディアコンバータ７０の余長部保持部の一の基本構成部品と二の基本構成部品図の組み立て平面及び側面図（展開状態のときのもの）、図２４は、メディアコンバータ７０の展開状態を示す斜視図である。
【００４１】
まず、折り畳み状態について説明する。図１４及び図１５において、第３実施形態のメディアコンバータ７０は、上下分割式の下部筐体７１と上部筐体７２とからなる略矩形状の筐体部７３を備えている。そして、第３実施形態のメディアコンバータ７０の特徴的事項は、その筐体部７３の下部筐体７１の底面（壁面等への設置面）の少なくとも三箇所に、宅内引き込み用光伝送路５〜７の余長部３９を保持するための第１〜第３の余長部保持部７４〜７６を設けた点にある。
【００４２】
第１〜第３の余長部保持部７４〜７６は、いずれも同一の構成を有しており、以下の説明からも明らかになるが、所望により、図示の「折り畳み状態」と、後述の「展開状態」の二つの状態を選択的に取り得るようになっている。
【００４３】
図１６において、第１〜第３の余長部保持部７４〜７６は、二つの基本構成部品（一の基本構成部品と二の基本構成部品）からなっている。一の基本構成部品は、メディアコンバータ７０の底面に取り付けられる基台部品７７であり、二の基本構成部品は、一端側が基台部品７７に回動可能に支持される余長部保持部品７８である。
【００４４】
図１８及び図１９において、基台部品７７（一の基本構成部品）は、平板状基部７９と、その平板状基部７９の一端側に対向して形成された一対の立設部８０、８１と、一対の立設部８０、８１の対向面に各々形成された支軸８２、８３とを有している。なお、平板状基部７９に穿設されている二つの穴８４、８５は、メディアコンバータ７０の底面への係合穴である。
【００４５】
一方、図２０及び図２１において、余長部保持部品７８（二の基本構成部品）は、一端側の幅方向に沿って形成された支軸支承穴８６と、その長手方向に沿って形成された貫通溝状の保持部８７と、その外周面の一部に形成された幅方向に連続する切り込み８８と、壁面等固定用のネジ穴８９とを有している。
【００４６】
第１〜第３の余長部保持部７４〜７６は、このような二つの基本構成部品の組み立て体、すなわち、余長部保持部品７８の支軸支承穴８６と、基台部品７７の支軸８２、８３とを係合させて回動可能な構造となるように作られたものであり、余長部保持部品７８の切り込み８８から、宅内引き込み用光伝送路５〜７の余長部３９を余長部保持部品７８の保持部８７に取り込み、その保持部８７で保持させたり、または、余長部保持部品７８の切り込み８８から、宅内引き込み用光伝送路５〜７の余長部３９を取り外して、その保持状態を解除したり、自由にすることができるものである。
【００４７】
このように、第３実施形態のメディアコンバータ７０は、図１４に示すように、第１〜第３の余長部保持部７４〜７６を折り畳んだ状態にしたまま、その余長部保持部品７８の切り込み８８から保持部８７に宅内引き込み用光伝送路５〜７の余長部３９を取り込み、当該余長部３９をループ状にして保持部８７で簡単に収納保持することができる。このような“折り畳み状態”においては、メディアコンバータ７０を壁面等に取り付けることはできない（このため用途は卓上使用に限られる）が、一方で、第１〜第３の余長部保持部７４〜７６がメディアコンバータ７０の底面に隠れて上から見えず、したがって、それらの第１〜第３の余長部保持部７４〜７６によって収納保持されている余長部３９も隠れて見えないため、美観を損なうことがないという優れた利点がある。
【００４８】
さて、第３実施形態のメディアコンバータ７０は、かかる卓上使用だけでなく、当然ながら壁面取付も可能である。
【００４９】
すなわち、図２２、図２３及び図２４に示すように、メディアコンバータ７０を壁面等に取り付ける場合には、第１〜第３の余長部保持部７４〜７６の余長部保持部品７８を矢印９０の方向に展開し、この展開状態で、余長部保持部品７８の切り込み８８から保持部８７に宅内引き込み用光伝送路５〜７の余長部３９を取り込み、当該余長部３９をループ状にして保持部８７で収納保持させた後、余長部保持部品７８のネジ穴８９を利用して、メディアコンバータ７０を壁面等に固定すればよい。
【００５０】
このように、第３実施形態のメディアコンバータ７０によれば、宅内引き込み用光伝送路５〜７の余長部３９を簡単に収納でき、且つ美観の改善も図ることができるという利点に加え、卓上使用（折り畳み状態）と壁面取付（展開状態）の双方を任意に選択できるという格別の効果が得られる。
【図面の簡単な説明】
【００５１】
【図１】第１実施形態のメディアコンバータ５０の上面図である。
【図２】第１実施形態のメディアコンバータ５０の斜視図である。
【図３】第１実施形態のメディアコンバータ５０の側面図である。
【図４】第２実施形態のメディアコンバータ６０の斜視図である。
【図５】第２実施形態のメディアコンバータ６０の正面図である。
【図６】第２実施形態のメディアコンバータ６０の側面図である。
【図７】第２実施形態のメディアコンバータ６０の背面詳細図である。
【図８】第２実施形態のメディアコンバータ６０のケース分解図である。
【図９】第２実施形態のメディアコンバータ６０の背面図である。
【図１０】第２実施形態のメディアコンバータ６０の要部拡大図である。
【図１１】第２実施形態のメディアコンバータ６０の要部拡大図である。
【図１２】第２実施形態のメディアコンバータ６０の余長部３９収納状態図である。
【図１３】第２実施形態のメディアコンバータ６０の余長部３９収納状態図である。
【図１４】第３実施形態のメディアコンバータ７０の折り畳み状態を示す斜視図である。
【図１５】第３実施形態のメディアコンバータ７０の折り畳み状態を示す正面及び側面図である。
【図１６】第３実施形態のメディアコンバータ７０の余長部保持部の一の基本構成部品と二の基本構成部品図の組み立て斜視図（折り畳み状態のときのもの）である。
【図１７】第３実施形態のメディアコンバータ７０の余長部保持部の一の基本構成部品と二の基本構成部品の組み立て平面及び側面図（折り畳み状態のときのもの）である。
【図１８】第３実施形態のメディアコンバータ７０の余長部保持部の一の基本構成部品の斜視図である。
【図１９】第３実施形態のメディアコンバータ７０の余長部保持部の一の基本構成部品の平面及び側面図である。
【図２０】第３実施形態のメディアコンバータ７０の余長部保持部の二の基本構成部品図の斜視図である。
【図２１】第３実施形態のメディアコンバータ７０の余長部保持部の二の基本構成部品図の平面及び側面図である。
【図２２】第３実施形態のメディアコンバータ７０の余長部保持部の一の基本構成部品と二の基本構成部品図の組み立て斜視図（展開状態のときのもの）である。
【図２３】第３実施形態のメディアコンバータ７０の余長部保持部の一の基本構成部品と二の基本構成部品図の組み立て平面及び側面図（展開状態のときのもの）である。
【図２４】第３実施形態のメディアコンバータ７０の展開状態を示す斜視図である。
【図２５】光ファイバーを用いた光通信システムの経路概念図、及び、宅内引き込み用光伝送路５〜７の一例断面構造図、並びに、光コネクタアセンブリ２７の構成図である。
【図２６】従来のメディアコンバータの構造図である。
【図２７】従来のメディアコンバータにおける宅内引き込み用光伝送路５〜７の余長部３９の整理状態を示す図である。
【符号の説明】
【００５２】
Ｐ  センター位置
Ｒ  曲率
５０  メディアコンバータ
５３  筐体部
５４  金具（余長部保持部、壁面取付兼用部）
５７  脚部（余長部保持部）
５７ａ  隙間形成部材
５８  脚部（余長部保持部）
５８ａ  隙間形成部材
６０  メディアコンバータ
６３  筐体部
６４  金具（着脱可能部品）
７０  メディアコンバータ
７３  筐体部
７７  基台部品（一の基本構成部品）
７８  余長部保持部品（二の基本構成部品）
【図１】
2006084492.tif 000003
【図２】
2006084492.tif 000004
【図３】
2006084492.tif 000005
【図４】
2006084492.tif 000006
【図５】
2006084492.tif 000007
【図６】
2006084492.tif 000008
【図７】
2006084492.tif 000009
【図８】
2006084492.tif 000010
【図９】
2006084492.tif 000011
【図１０】
2006084492.tif 000012
【図１１】
2006084492.tif 000013
【図１２】
2006084492.tif 000014
【図１３】
2006084492.tif 000015
【図１４】
2006084492.tif 000016
【図１５】
2006084492.tif 000017
【図１６】
2006084492.tif 000018
【図１７】
2006084492.tif 000019
【図１８】
2006084492.tif 000020
【図１９】
2006084492.tif 000021
【図２０】
2006084492.tif 000022
【図２１】
2006084492.tif 000023
【図２２】
2006084492.tif 000024
【図２３】
2006084492.tif 000025
【図２４】
2006084492.tif 000026
【図２５】
2006084492.tif 000027
【図２６】
2006084492.tif 000028
【図２７】
2006084492.tif 000029